【手続補正書】
【提出日】平成20年8月8日(2008.8.8)
【手続補正１】
【補正対象書類名】特許請求の範囲
【補正対象項目名】全文
【補正方法】変更
【補正の内容】
【特許請求の範囲】
【請求項１】
呼吸を制御するための第１の波形信号を生成する方法であって、  被療者の身体内で生成され、捕捉された呼吸の制御に有効な複数の波形信号から信号成分を抽出する段階と、  前記捕捉された波形信号と前記抽出された信号成分を記憶媒体に記憶する段階と、  前記被療者の身体に伝達するための第１の波形信号を前記捕捉された波形信号に基づいて生成する段階と、を含み、  前記第１の波形信号は、前記捕捉された波形信号の少なくとも１つに対応し且つ呼吸の制御に有効な第２の波形信号を含む方法。
【請求項２】
前記第１の波形信号は前記被療者の神経系に伝達されるものである、請求項１に記載の方法。
【請求項３】
呼吸を制御するための波形信号を生成する方法であって、  第１の被療者の身体内で生成され、捕捉された第１の複数の波形信号であって、該第１の複数の波形信号に含まれる、呼吸の制御に有効な第１の波形信号から基準呼吸波形信号を生成する段階と、  前記第１の被療者の身体内で生成され、捕捉した第２の複数の波形信号であって、該第２の複数の波形信号に含まれる、呼吸の制御に有効な少なくとも第２の波形信号と、前記基準呼吸波形信号を比較する段階と、  呼吸の制御に有効な、被療者の身体に伝達するための第３の波形信号を、前記基準呼吸信号と第２の波形信号の前記比較に基づいて生成する段階と、を含む方法。
【請求項４】
前記捕捉された波形信号は、複数の被療者から捕捉された前記第１の複数の波形信号からなる、請求項３に記載の方法。
【請求項５】
前記第３の波形信号は前記第２の波形信号に対応する、請求項３に記載の方法。
【請求項６】
前記第３の波形信号は前記基準呼吸波形信号に対応する、請求項３に記載の方法。
【請求項７】
前記第３の波形信号は前記被療者の神経系に伝達される、請求項３に記載の方法。
【請求項８】
前記被療者は人間を含む、請求項３に記載の方法。
【請求項９】
前記被療者は動物を含む、請求項３に記載の方法。
【請求項１０】
呼吸を制御するための第３の波形信号を生成する方法であって、  第１の被療者の身体内で生成され、捕捉された第１の複数の波形信号であって、該第１の複数の波形信号に含まれる、呼吸の制御に有効な第１の波形信号を記憶媒体内の第１の場所に記憶する段階と、  前記第１の波形信号から基準呼吸波形信号を生成する段階と、  前記第１の被療者の身体に生成され、捕捉された第２の複数の波形信号であって、該第２の複数の波形信号に含まれる、呼吸の制御に有効な少なくとも第２の波形信号を前記記憶媒体内の第２の場所に記憶する段階と、  前記基準呼吸波形信号を前記第２の波形信号と比較する段階と、  呼吸の制御に有効な、被療者の身体に伝達するための第３の波形信号を、前記基準呼吸信号と第２の波形信号の前記比較に基づいて、生成する段階と、を含む方法。
【請求項１１】
前記捕捉した波形信号は、複数の被療者から捕捉した前記第１の複数の波形信号からなる、請求項１０に記載の方法。
【請求項１２】
前記第３の波形信号は前記被療者の神経系に伝達されるものである、請求項１０に記載の方法。
【請求項１３】
前記被療者は人間を含む、請求項１０に記載の方法。
【請求項１４】
前記被療者は動物を含む、請求項１０に記載の方法。
【請求項１５】
呼吸を制御するための第２の波形信号を生成する方法であって、  被療者の呼吸状態を監視することにより提供された、少なくとも一つが被療者の呼吸器系の状態を示す呼吸器系状態信号と、被療者の身体内で生成され、捕捉された呼吸の制御に有効な第１の複数の波形信号であって、該第１の複数の波形信号に含まれる、呼吸の制御に有効な第１の波形信号とを記憶媒体内の第１の場所に記憶する段階と、  前記呼吸器系状態信号に応じて前記被療者に伝達される呼吸の制御に有効な前記第２の波形信号を、前記第１の波形信号に基づいて生成する段階と、を含む方法。
【請求項１６】
前記第２の波形信号は前記被療者の神経系に伝達されるものである、請求項１５に記載の方法。
【請求項１７】
前記第２の波形信号は前記被療者の標的ゾーンに伝達されるものであり、前記標的ゾーンは首部、頭部および胸部から選択される、請求項１５に記載の方法。
【請求項１８】
前記被療者は人間を含む、請求項１５に記載の方法。
【請求項１９】
前記被療者は動物を含む、請求項１５に記載の方法。
【請求項２０】
呼吸を制御するための第２の波形信号を生成する方法であって、  被療者の身体内で生成され、捕捉された第１の複数の波形信号であって、該第１の複数の波形信号に含まれる第１の波形信号から波形信号成分を抽出する段階と、  被療者の呼吸状態を監視することにより提供された、少なくとも１つが被療者の呼吸器系の状態を示す呼吸器系状態信号と、前記第１の波形信号と、前記波形信号成分とを記憶媒体に記憶する段階と、  前記呼吸器系状態信号に応じて前記被療者に伝達されるべき、呼吸の制御に有効な第２の波形信号を前記第１の波形信号に基づいて生成する段階と、を含む方法。
【請求項２１】
前記第２の波形信号は、前記波形信号成分の少なくとも１つに応じて前記被療者に伝達されるものである、請求項２０に記載の方法
【請求項２２】
前記第２の波形信号は前記被療者の神経系に伝達されるものである、請求項２０に記載の方法。
【請求項２３】
前記第２の波形信号は前記被療者の標的ゾーンに伝達されものであり、前記標的ゾーンは、首部、頭部および胸部から選択される、請求項２０に記載の方法。
【請求項２４】
前記被療者は人間を含む、請求項２０に記載の方法。
【請求項２５】
前記被療者は動物を含む、請求項２０に記載の方法。
【請求項２６】
呼吸を制御するシステムであって、  被療者の身体から、前記身体内で自然に生成され且つ呼吸の制御に有効な波形信号を表す波形信号を捕捉するための少なくとも第１の信号プローブと、  前記信号プローブと通信可能であり且つ前記波形信号を受け取り、更に前記捕捉した波形信号に基づいて、呼吸器系が調節信号として認識可能な少なくとも第１の波形信号を生成するプロセッサと、  前記被療者の身体と通信可能であり、前記第１の波形信号を前記被療者の身体に伝達して呼吸を調整し制御するための少なくとも第２の信号プローブと、を有するシステム。
【請求項２７】
前記プロセッサは、前記捕捉した波形信号を記憶する記憶媒体を有する、請求項２６に記載のシステム。
【請求項２８】
前記第２の信号プローブは、被療者の神経系への直接伝達により、前記第１の波形信号を前記被療者に直接伝達するものである、請求項２６に記載のシステム。
【請求項２９】
呼吸を制御するシステムであって、  被療者の呼吸器系の状態を監視し且つ被療者の呼吸器系の状態を示す少なくとも第１の呼吸器系状態信号を伝達する呼吸器系センサと、  被療者の身体から、前記身体内で自然に生成され呼吸の制御に有効な波形信号を表す波形信号を捕捉する少なくとも第１の信号プローブと、  前記信号プローブと通信可能であり且つ前記呼吸器系状態信号と前記波形信号を受け取り、更に前記捕捉した波形信号に基づいて、呼吸器系が調節信号として認識可能な少なくとも第１の波形信号を生成するプロセッサと、  前記被療者と通信可能であり、前記第１の波形信号を前記被療者に伝達して呼吸を制御するための少なくとも第２の信号プローブと、を有するシステム。
【請求項３０】
前記プロセッサは、前記捕捉した波形信号を記憶する記憶媒体を有する、請求項２９に記載のシステム。
【請求項３１】
前記第２の信号プローブは、被療者の神経系に直接伝達することによって前記第１の波形信号を前記被療者に直接伝達する、請求項２９に記載のシステム。